(57)【要約】【課題】挿入口を明確に指示することができる照明付きバックルを提供する。【解決手段】バックル８は、車両のシートベルトに取付けられたタング７と連結可能な本体部２０と、本体部２０を収容するカバー３０，４０と、カバー３０，４０に設けられ、本体部２０と連結するためのタング７を挿入する挿入口２１と、ＬＥＤ５３と、ＬＥＤ５３からの光で発光するリフレクタ５２と、挿入口２１と隣接して設けられ押下時に本体部２０とタング７との連結を解除可能なボタン２２と、を備え、リフレクタ５２は、挿入口２１の内周面のうちボタン２２と対向する面のカバー開口幅に沿った全体を光らせるよう配置される第１発光面５６Ｃを有する。【選択図】図１
2019112014.tif 000002
【特許請求の範囲】
【請求項１】
車両のシートベルトに取り付けられたタングと連結可能な本体部と、
前記本体部を収容するカバーと、
前記カバーに設けられ、前記本体部と連結するための前記タングを挿入する挿入口と、
光源と、
前記光源からの光で発光するリフレクタと、
前記挿入口と隣接して設けられ押下時に前記本体部と前記タングとの連結を解除可能なボタンと、
を備え、
前記リフレクタは、前記挿入口の内周面のうち前記ボタンと対向する面のカバー開口幅に沿った全体を光らせるよう配置される第１発光面を有する、
照明付きバックル。
【請求項２】
前記リフレクタは、前記挿入口の内周面のうち前記第１発光面と前記ボタンとを接続し、前記カバー開口幅の方向で対向する一対の面をそれぞれ光らせるよう配置される第２発光面及び第３発光面を有する、
請求項１に記載の照明付きバックル。
【請求項３】
前記リフレクタは、前記カバーの表面のうち前記挿入口の前記カバー開口幅の両外側の面をそれぞれ光らせるよう配置される第４発光面及び第５発光面を有する、
請求項１または２に記載の照明付きバックル。
【請求項４】
前記第１発光面に設けられ、前記タングの挿入方向に沿って延在するよう形成されるリブを有する、
請求項１〜３のいずれか１項に記載の照明付きバックル。
【請求項５】
前記リフレクタは、前記カバー開口幅の方向の両端部に前記方向の外側に面する一対の受光面を有し、
前記一対の受光面より前記カバー開口幅の方向の外側に、前記受光面と対向して配置される一対の光源を有する、
請求項１または２に記載の照明付きバックル。
【発明の詳細な説明】
【技術分野】
【０００１】
本開示は、照明付きバックルに関する。
【背景技術】
【０００２】
シートベルト装着時にバックルのタング挿入口の周辺を発光させるバックルが提案されている。例えば特許文献１には、バックルのカバー表面に、挿入口に向かって楔形の発光面を設ける構成が開示されている。また、特許文献２には、挿入口の左右両側にそれぞれ発光面を設ける構成が開示されている。
【先行技術文献】
【特許文献】
【０００３】
【特許文献１】独国特許出願公開第１０２０１１１１４５３８号明細書
【特許文献２】独国特許出願公開第１０２００７０４７７０４号明細書
【発明の概要】
【発明が解決しようとする課題】
【０００４】
しかしながら、特許文献１、２などに記載される従来の照明付きバックルでは、挿入口の周辺に発光面を配置する構成のため、挿入口の指示を明確にする点でさらなる改善の余地がある。
【０００５】
本開示は、挿入口を明確に指示することができる照明付きバックルを提供することを目的とする。
【課題を解決するための手段】
【０００６】
本発明の実施形態の一観点に係る照明付きバックルは、車両のシートベルトに取付けられたタングと連結可能な本体部と、前記本体部を収容するカバーと、前記カバーに設けられ、前記本体部と連結するための前記タングを挿入する挿入口と、光源と、前記光源からの光で発光するリフレクタと、前記挿入口と隣接して設けられ押下時に前記本体部と前記タングとの連結を解除可能なボタンと、を備え、前記リフレクタは、前記挿入口の内周面のうち前記ボタンと対向する面のカバー開口幅に沿った全体を光らせるよう配置される第１発光面を有する。
【発明の効果】
【０００７】
本開示によれば、挿入口を明確に指示することができる照明付きバックルを提供することができる。
【図面の簡単な説明】
【０００８】
【図１】実施形態に係る照明付きバックルが適用されるシートベルト装置の構成の一例を示す図である。
【図２】第１実施形態に係る照明付きバックルの斜視図である。
【図３】第１実施形態に係る照明付きバックルの分解斜視図である。
【図４】図２に示す照明付きバックル８をｚ正方向側から視た透視図である。
【図５】図２に示す照明付きバックルのＶ−Ｖ断面図である。
【図６】第１実施形態の変形例に係るリフレクタに対するＬＥＤの配置構成を示す斜視図である。
【図７】第２実施形態に係る照明付きバックルの斜視図である。
【図８】第２実施形態に係るリフレクタの斜視図である。
【図９】第２実施形態の変形例に係るリフレクタに対するＬＥＤの配置構成を示す斜視図である。
【図１０】第３実施形態に係る照明付きバックルの斜視図である。
【図１１】第３実施形態に係るリフレクタの斜視図である。
【図１２】第３実施形態の変形例に係るリフレクタに対するＬＥＤの配置構成を示す斜視図である。
【図１３】第４実施形態に係る照明付きバックルの斜視図である。
【図１４】第４実施形態に係るリフレクタの斜視図である。
【図１５】第４実施形態の変形例に係るリフレクタに対するＬＥＤの配置構成を示す斜視図である。
【発明を実施するための形態】
【０００９】
以下、添付図面を参照しながら実施形態について説明する。説明の理解を容易にするため、各図面において同一の構成要素に対しては可能な限り同一の符号を付して、重複する説明は省略する。なお、以下の説明において、ｘ方向、ｙ方向、ｚ方向は互いに垂直な方向である。ｘ方向はバックル８の幅方向である。ｙ方向はボタン２２と挿入口２１の配列方向であり、ｚ方向はタング７のバックル８への挿入方向である。また、以下では説明の便宜上、ｙ正方向側を上側、ｙ負方向側を下側、ｚ正方向側を前側、ｚ負方向側を後側とも表現する場合がある。
【００１０】
［第１実施形態］
図１〜図５を参照して第１実施形態を説明する。まず図１を参照して、第１実施形態に係る照明付きバックル８（以下では単に「バックル８」とも表記する）が適用されるシートベルト装置１の概略構成を説明する。
【００１１】
図１は、実施形態に係る照明付きバックル８が適用されるシートベルト装置１の構成の一例を示す図である。シートベルト装置１は、車両に搭載された車載システムの一例である。シートベルト装置１は、例えば、シートベルト４と、リトラクタ３と、ショルダーアンカー６と、タング７と、バックル８とを備える。
【００１２】
シートベルト４は、車両のシート２に座る乗員１１を拘束するウェビングの一例であり、リトラクタ３に引き出し可能に巻き取られる帯状部材である。シートベルト４の先端のベルトアンカー５は、シート２又はシート２の近傍の車体に固定される。
【００１３】
リトラクタ３は、シートベルト４の巻き取り又は引き出しを可能にする巻き取り装置の一例であり、車両衝突時等の所定値以上の減速度が車両に加わると、シートベルト４がリトラクタ３から引き出されることを制限する。リトラクタ３は、シート２又はシート２の近傍の車体に固定される。
【００１４】
ショルダーアンカー６は、シートベルト４が挿通するベルト挿通具の一例であり、リトラクタ３から引き出されたシートベルト４を乗員１１の肩部の方へガイドする部材である。
【００１５】
タング７は、シートベルト４が挿通するベルト挿通具の一例であり、ショルダーアンカー６によりガイドされたシートベルト４にスライド可能に取り付けられた部品である。
【００１６】
バックル８は、タング７が着脱可能に連結される部品であり、例えば、シート２又はシート２の近傍の車体に固定される。
【００１７】
タング７がバックル８に係合された状態で、ショルダーアンカー６とタング７との間のシートベルト４の部分が、乗員１１の胸部及び肩部を拘束するショルダーベルト部９である。タング７がバックル８に係合された状態で、ベルトアンカー５とタング７との間のシートベルト４の部分が、乗員１１の腰部を拘束するラップベルト部１０である。
【００１８】
次に、図２〜図５を参照して第１実施形態に係る照明付きバックル８の構成を説明する。図２は、第１実施形態に係る照明付きバックル８の斜視図である。図３は、第１実施形態に係る照明付きバックル８の分解斜視図である。図４は、図２に示す照明付きバックル８をｚ正方向側から視た透視図である。図５は、図２に示す照明付きバックル８のＶ−Ｖ断面図である。なお、図４の透視図では、バックル８の構成要素のうちバックルベース２３、保持基板５１、リフレクタ５２、ＬＥＤ５３を実線で図示し、他の部品は一点鎖線で図示している。
【００１９】
図２、図３に示すように、バックル８は、本体部２０と、アッパーカバー３０と、ロアカバー４０と、照明部５０とを備える。
【００２０】
本体部２０は、シートベルト４に取り付けられたタング７と連結可能なサブアッセンブリ品である。図２〜図５に示すように、本体部２０は、タング７の金属プレートが挿入される挿入口２１と、乗員１１がタング７の着脱操作をするためのボタン２２と、本体部２０に構成されるボタン２２等の部品を保持するバックルベース２３とを有する。
【００２１】
ボタン２２は、挿入口２１のｙ正方向側に隣接して設けられる。ボタン２２は押下時に本体部２０とタング７との連結を解除可能とする。バックルベース２３は、例えば図３、図４に示すように略Ｕ字状フレームから成り、実際には制御回路などの各種部品が収容されるが、ここでは各部品の図示が省略されている。
【００２２】
図２〜図５に示すように、アッパーカバー３０は、本体部２０のボタン２２や挿入口２１が露出するように本体部２０を覆うバックルカバーの一例である。アッパーカバー３０は、ロアカバー４０との間に本体部２０及び照明部５０を挟んで保持する樹脂部品である。
【００２３】
ロアカバー４０は、照明部５０の保持基板５１が固定される内側表面を有するバックルカバーの一例である。ロアカバー４０も、アッパーカバー３０と同様の樹脂部品である。なお、ロアカバー４０のバックル８内部側には各種部品が設置されるが、図３〜図５では、本実施形態の特徴部分とは関係の無い各部品や、各部品を設置するためのリブ等の図示が省略されている。
【００２４】
アッパーカバー３０及びロアカバー４０は、バックル８の外形を形成するカバーであり、本体部２０、及び照明部５０を収容する。図２に示すように、アッパーカバー３０とロアカバー４０は、合わせ構造により所定の筐体形状を構成する。本実施形態では、本体部２０、及び照明部５０を収めるため、バックル８の外形カバーは、アッパーカバー３０とロアカバー４０の二つの部品によって構成されているが、三つ以上の部品によって構成されてもよい。
【００２５】
バックル８が車両に取り付けられた状態で、アッパーカバー３０は、乗員１１とは反対側に面し、ロアカバー４０は、乗員１１側に面する。
【００２６】
照明部５０は、タング７をバックル８に装着する際に、バックル８の挿入口２１やその周囲を発光させて、乗員１１に挿入口２１の位置を指示する。図２〜図５に示すように、照明部５０は、保持基板５１と、リフレクタ５２とを有する。照明部５０は、保持基板５１に実装されているＬＥＤ５３（光源）の点灯または明滅を、リフレクタ５２を通してバックル８の外部から視認可能とする。
【００２７】
保持基板５１は、ＬＥＤ５３をバックル内の所定位置に保持する。図３に示すように、保持基板５１は、幅方向両側に一対の係合溝５４を有する。一方、ロアカバー４０の前端に立設する壁部４１の中央には上部側に切り欠き４２が設けられ、係合溝５４に切り欠き４２と嵌合させることにより、保持基板５１はロアカバー４０の壁部４１に保持される。また、このとき、保持基板５１の下面は、ロアカバー４０に設けられる複数のリブ４３上に載置される。保持基板５１のうちＬＥＤ５３が実装される部分は、ロアカバー４０への設置時に壁部４１よりさらに前方に配置される（図５参照）。
【００２８】
ＬＥＤ５３は、制御信号に応じて点灯または明滅する。制御信号は、例えばバックル８内部または外部に設置される制御回路（図示せず）から出力される。
【００２９】
ＬＥＤ５３は、例えば、車両のドアが開いている状態のときに点灯又は点滅する。これにより、挿入口２１の近傍に配置されたリフレクタ５２が点灯又は点滅するので、乗員１１は挿入口２１の位置を暗がりでも容易に把握可能となる。また、乗員１１に対してシートベルト４の着用を促すことができる。
【００３０】
なお、ＬＥＤ５３は光源の一例であり、制御信号に応じて点灯または明滅可能な他の光源に置き換えてもよい。
【００３１】
リフレクタ５２は、ＬＥＤ５３からの光で発光する。図３、図４に示すように、リフレクタ５２は、複数の発光面５６Ａ〜５６Ｅを有し、一体的に形成されている。リフレクタ５２は、保持基板５１の上方（ｙ正方向側）に設置される。リフレクタ５２は、設置時にＬＥＤ５３と対向する位置に、ＬＥＤ５３から発せられた光を受ける受光面５５を有する。本実施形態では、ＬＥＤ５３は下側（ｙ負方向側）からリフレクタ５２に光を照射するので、リフレクタ５２の受光面５５は下方に向く面である。
【００３２】
リフレクタ５２は、挿入口２１の内周面のうち、ボタン２２と対向する面２１ａ（図３参照）のカバー開口幅に沿った全体を光らせるよう配置される第１発光面５６Ｃを有する。ここで、「カバー開口幅」とは、バックル８の挿入口２１のｘ方向の寸法を意味する。カバー開口幅は、バックルベース２３のＵ字形状内側のｘ方向寸法（所謂ベース二面幅）より小さい。
【００３３】
また、リフレクタ５２は、挿入口２１の内周面のうち第１発光面５６Ｃ（面２１ａ）とボタン２２とを接続し、カバー開口幅の方向（ｘ方向）で対向する一対の面２１ｂ，２１ｃ（図３参照）をそれぞれ光らせるよう配置される第２発光面５６Ｂ及び第３発光面５６Ｄを有する。
【００３４】
さらに、リフレクタ５２は、バックル８のカバー表面のうち挿入口２１のカバー開口幅の方向の両外側の面３０ａ，３０ｂ（図３参照）をそれぞれ光らせるよう配置される第４発光面５６Ａ及び第５発光面５６Ｅを有する。
【００３５】
すなわち第１実施形態では、５つの発光面５６Ａ〜５６Ｅを有する。このうち第１発光面５６Ｃはｙ方向に発光し、第２発光面５６Ｂ及び第３発光面５６Ｄはｘ方向に発光し、第４発光面５６Ａ及び第５発光面５６Ｅはｚ方向に発光する。つまり、リフレクタ５２の各発光面は、三軸方向のすべての方向に発光するよう、各発光面の発光方向が異なって形成されている。
【００３６】
リフレクタ５２は、ｘ方向の中央に第１発光面５６Ｃと受光面５５とを有する略直方体形状の第１ブロック５２−１を有する。第１ブロック５２−１のｙ正方向側の面が第１発光面５６Ｃであり、ｙ負方向側の面が受光面５５である。リフレクタ５２は、この第１ブロック５２−１のｘ方向両端からｙ方向に立設する略直方体形状の第２ブロック５２−２及び第３ブロック５２−３を有し、第２ブロック５２−２及び第３ブロック５２−３に第２発光面５６Ｂ及び第３発光面５６Ｄがそれぞれ設けられる。第２ブロック５２−２のｘ正方向側の面が第２発光面５６Ｂであり、第３ブロック５２−３のｘ負方向側の面が第３発光面５６Ｄである。さらに、リフレクタ５２は、第２ブロック５２−２及び第３ブロック５２−３からそれぞれｘ方向外側に延在する略直方体形状の第４ブロック５２−４及び第５ブロック５２−５を有する。第４ブロック５２−４及び第５ブロック５２−５は、本実施形態では、バックル８の挿入口２１の周囲のケース形状に合わせて、ｚ正方向側かつｙ正方向側に傾斜して形成されている。この第４ブロック５２−４及び第５ブロック５２−５に第４発光面５６Ａ及び第５発光面５６Ｅがそれぞれ設けられる。第４ブロック５２−４のｚ正方向側の面が第４発光面５６Ａであり、第５ブロック５２−５のｚ正方向側の面が第５発光面５６Ｅである。
【００３７】
このように第１実施形態のバックル８は、５つの発光面５６Ａ〜５６Ｅを有するリフレクタ５２を有することにより、第４発光面５６Ａ及び第５発光面５６Ｅの発光によって挿入口２１の位置を特定でき、また、第１発光面５６Ｃ、第２発光面５６Ｂ及び第３発光面５６Ｄの発光によって挿入口２１の内周面のうちの３面の形状を明示できるので、乗員１１に対して挿入口２１を明確に指示することができる。
【００３８】
また、第１実施形態のバックル８は、第１発光面５６Ｃに設けられ、タング７の挿入方向（ｚ方向）に沿って延在するよう形成されるリブ５７を有する。これにより、タング７が挿入口２１に挿入される際に、タング７の先端がリフレクタ５２に接触しても、リブ５７に当たって第１発光面５６Ｃには直接当たることを回避できる。この結果、リフレクタ５２の発光面に傷がつくことを防止でき、リフレクタ５２の発光をより均一化できる。リブ５７は、例えば図３などに示すようにｘ方向（挿入口２１の幅方向）に沿って略等間隔で複数個を配置するのが好ましい。
【００３９】
また、リフレクタ５２に光を照射するための光源であるＬＥＤ５３は、図２〜図４に示すように、バックル８の幅方向の略中央部分に１個が配置され、発光方向が上方となるように配置される。これにより、リフレクタ５２の幅方向の略中央部分に光を照射でき、リフレクタの各発光面に均一に光を伝達しやすくできる。また、ＬＥＤ５３の数を最低限の１個にできるのでコストを低減できる。
【００４０】
次に、図６を参照して第１実施形態の変形例を説明する。図６は、第１実施形態の変形例に係るリフレクタ５２に対するＬＥＤ５３Ａ，５３Ｂの配置構成を示す斜視図である。
【００４１】
図６に示すように、リフレクタ５２の幅方向両側（すなわちｘ正方向側及びｘ負方向側の端部）、かつ、第４発光面５６Ａ及び第５発光面５６Ｅの後方側に２つの受光面５５Ａ，５５Ｂを設け、この受光面５５Ａ，５５Ｂにそれぞれ光を照射する２つのＬＥＤ５３Ａ，５３Ｂを、リフレクタ５２の後方に配置してもよい。
【００４２】
この構成により、バックル８のカバー内のより大きい空間にＬＥＤ５３Ａ，５３Ｂを配置できるので、ＬＥＤ５３Ａ，５３Ｂの種類や設置位置などの自由度を向上できる。
【００４３】
［第２実施形態］
図７〜図８を参照して第２実施形態を説明する。図７は、第２実施形態に係るバックル８Ａの斜視図である。図８は、第２実施形態に係るリフレクタ５２Ａの斜視図である。
【００４４】
図７〜図８に示すように、第２実施形態のリフレクタ５２Ａは、第４発光面５６Ａ及び第５発光面５６Ｅを有しない点で、第１実施形態のリフレクタ５２と異なる。
【００４５】
この構成によっても、第１発光面５６Ｃ、第２発光面５６Ｂ及び第３発光面５６Ｄの発光により挿入口２１の内周面のうちの３面の輪郭を光らせることができ、挿入口２１の形状を明示できるので、第１実施形態と同様に、乗員１１に対して挿入口２１を明確に指示することができる。
【００４６】
次に、図９を参照して第２実施形態の変形例を説明する。図９は、第２実施形態の変形例に係るリフレクタ５２Ａに対するＬＥＤ５３Ａ，５３Ｂの配置構成を示す斜視図である。
【００４７】
図９に示すように、リフレクタ５２Ａは、カバー開口幅の方向（ｘ方向）の両端部にこの方向の外側に面する一対の受光面５５Ａ，５５Ｂを有し、一対の受光面５５Ａ，５５Ｂよりこの方向の外側に、受光面５５Ａ，５５Ｂと対向して配置される一対のＬＥＤ５３Ａ，５３Ｂを有する構成としてもよい。
【００４８】
この構成により、リフレクタ５２Ａの各発光面５６Ｂ，５６Ｃ，５６Ｄに対してより均等に光を伝達させることができ、リフレクタ５２Ａの発光をより均一化できる。
【００４９】
［第３実施形態］
図１０〜図１１を参照して第３実施形態を説明する。図１０は、第３実施形態に係るバックル８Ｂの斜視図である。図１１は、第３実施形態に係るリフレクタ５２Ｂの斜視図である。
【００５０】
図１０〜図１１に示すように、第３実施形態のリフレクタ５２Ｂは、第２発光面５６Ｂ及び第３発光面５６Ｄを有しない点で、第１実施形態のリフレクタ５２と異なる。
【００５１】
この構成によっても、第４発光面５６Ａ及び第５発光面５６Ｅの発光によって挿入口２１の位置を特定でき、また、第１発光面５６Ｃの発光によって挿入口２１のカバー開口幅の寸法を明示できるので、第１実施形態と同様に、乗員１１に対して挿入口２１を明確に指示することができる。
【００５２】
次に、図１２を参照して第３実施形態の変形例を説明する。図１２は、第３実施形態の変形例に係るリフレクタ５２Ｂに対するＬＥＤ５３Ａ，５３Ｂの配置構成を示す斜視図である。
【００５３】
図１２に示すように、リフレクタ５２Ｂの幅方向両側（すなわちｘ正方向側及びｘ負方向側の端部）、かつ、第４発光面５６Ａ及び第５発光面５６Ｅの後方側に２つの受光面５５Ａ，５５Ｂを設け、この受光面５５Ａ，５５Ｂにそれぞれ光を照射する２つのＬＥＤ５３Ａ，５３Ｂを、リフレクタ５２の後方に配置してもよい。
【００５４】
この構成により、バックル８のカバー内のより大きい空間にＬＥＤ５３Ａ，５３Ｂを配置できるので、ＬＥＤ５３Ａ，５３Ｂの種類や設置位置などの自由度を向上できる。
【００５５】
［第４実施形態］
図１３〜図１４を参照して第４実施形態を説明する。図１３は、第４実施形態に係るバックル８Ｃの斜視図である。図１４は、第４実施形態に係るリフレクタ５２Ｃの斜視図である。
【００５６】
図１３〜図１４に示すように、第４実施形態のリフレクタ５２Ｃは、第２発光面５６Ｂ、第３発光面５６Ｄ、第４発光面５６Ａ及び第５発光面５６Ｅを有しない点で、第１実施形態のリフレクタ５２と異なる。つまり、第４実施形態のリフレクタ５２Ｃは、第１発光面５６Ｃのみを有する。
【００５７】
この構成によっても、第１発光面５６Ｃの発光によって挿入口２１のカバー開口幅の寸法を明示できるので、第１実施形態と同様に、乗員１１に対して挿入口２１を明確に指示することができる。
【００５８】
次に、図１５を参照して第４実施形態の変形例を説明する。図１５は、第４実施形態の変形例に係るリフレクタ５２Ｃに対するＬＥＤ５３Ａ，５３Ｂの配置構成を示す斜視図である。
【００５９】
図１５に示すように、リフレクタ５２Ｃは、カバー開口幅の方向（ｘ方向）の両端部にこの方向の外側に面する一対の受光面５５Ａ，５５Ｂを有し、一対の受光面５５Ａ，５５Ｂよりこの方向の外側に、受光面５５Ａ，５５Ｂと対向して配置される一対のＬＥＤ５３Ａ，５３Ｂを有する構成としてもよい。
【００６０】
この構成により、リフレクタ５２Ｃの発光面５６Ｃに対してより均等に光を伝達させることができ、リフレクタ５２Ｃの発光をより均一化できる。
【００６１】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００６２】
７    タング
８，８Ａ，８Ｂ，８Ｃ    バックル
２０    本体部
２１    挿入口
２２    ボタン
３０    アッパーカバー
４０    ロアカバー
５２，５２Ａ，５２Ｂ，５２Ｃ    リフレクタ
５３，５３Ａ，５３Ｂ    ＬＥＤ（光源）
５５，５５Ａ，５５Ｂ    受光面
５６Ｃ    第１発光面
５６Ｂ    第２発光面
５６Ｄ    第３発光面
５６Ａ    第４発光面
５６Ｅ    第５発光面
５７    リブ
【図１】
2019112014.tif 000003
【図２】
2019112014.tif 000004
【図３】
2019112014.tif 000005
【図４】
2019112014.tif 000006
【図５】
2019112014.tif 000007
【図６】
2019112014.tif 000008
【図７】
2019112014.tif 000009
【図８】
2019112014.tif 000010
【図９】
2019112014.tif 000011
【図１０】
2019112014.tif 000012
【図１１】
2019112014.tif 000013
【図１２】
2019112014.tif 000014
【図１３】
2019112014.tif 000015
【図１４】
2019112014.tif 000016
【図１５】
2019112014.tif 000017